(57)【要約】【課題】押動作で発電する発電リモコン装置において、電力を無駄にせずに短時間の内に検知部の故障や発電量の不足などのリモコン装置の異常を検出し、異常時にも安全に動作することができるリモコン装置を提供する。【解決手段】制御部は、発電部が発生させた電力を利用して、複数の検知部から情報を取得し、複数の検知部の何れの情報も取得できない場合に、止水信号を生成して便座装置に送信する異常時止水制御を実行することで、押動作で発電する発電リモコン装置において、電力を無駄にせずに短時間の内にリモコン装置の異常を検出し、ノズルからの吐水が実行中であっても止水させることができ、異常時にも安全に動作することができる。【選択図】図８
2015183476.tif 000002
【特許請求の範囲】
【請求項１】
人体局部に向けて吐水するノズルを有する便座装置を遠隔操作するためのリモコン装置
であって、
前記ノズルからの吐水を停止させるための止水ボタンと、少なくとも前記ノズルからの
吐水を含む動作であって前記ノズルからの吐水の停止以外の動作を行わせるための非止水
ボタンと、を有する複数の操作ボタンと、
前記複数の操作ボタンのそれぞれに対応して設けられ、前記複数の操作ボタンのそれぞれの押動作を検知する複数の検知部と、
前記複数の操作ボタンにおける押動作によって入力される機械的エネルギーを利用して電力を発生させる発電部と、
前記発電部が発生させた電力を利用して、前記複数の検知部から情報を取得し、前記止水ボタンが押動作された場合は止水信号を生成して前記便座装置に送信する一方、前記非止水ボタンが押動作された場合は非止水信号を生成して前記便座装置に送信する制御部と、
を備え、
前記制御部は、前記発電部が発生させた電力を利用して、前記複数の検知部から情報を取得し、前記複数の検知部の何れの情報も取得できない場合に、前記止水信号を生成して前記便座装置に送信する異常時止水制御を実行することを特徴とするリモコン装置。
【請求項２】
前記発電部が発生させた電力を蓄積する蓄電部と、
前記蓄電部に蓄積された電力を検知する蓄電量検知部と、
を備え、
前記制御部は、前記異常時止水制御を実行する場合に、前記蓄電量検知部の検知結果が前記止水信号を１回送信するために必要な送信電力値を下回るまで前記止水信号を生成して前記便座装置に送信することを特徴とする請求項１に記載のリモコン装置。
【請求項３】
人体局部に向けて吐水するノズルを有する便座装置を遠隔操作するためのリモコン装置
であって、
前記ノズルからの吐水を停止させるための止水ボタンと、少なくとも前記ノズルからの
吐水を含む動作であって前記ノズルからの吐水の停止以外の動作を行わせるための非止水
ボタンと、を有する複数の操作ボタンと、
前記複数の操作ボタンのそれぞれに対応して設けられ、前記複数の操作ボタンのそれぞれの押動作を検知する複数の検知部と、
前記複数の操作ボタンにおける押動作によって入力される機械的エネルギーを利用して電力を発生させる発電部と、
前記発電部が発生させた電力を蓄積する蓄電部と、
前記蓄電部に蓄積された電力を検知する蓄電量検知部と、
前記発電部が発生させた電力を利用して、前記複数の検知部から情報を取得し、前記止水ボタンが押動作された場合は止水信号を生成して前記便座装置に送信する一方、前記非止水ボタンが押動作された場合は非止水信号を生成して前記便座装置に送信する制御部と、
を備え、
前記制御部は、前記発電部が発生させた電力を利用して、前記複数の検知部から情報を取得し、前記複数の検知部の情報は取得でき、且つ、前記蓄電量検知部の検知結果が所定値よりも少ない場合に、前記蓄電部に蓄電された電力を用いて前記止水信号を生成して前記便座装置に送信する異常時止水制御を実行することを特徴とするリモコン装置。
【請求項４】
前記制御部は、前記異常時止水制御を実行する場合に、前記蓄電量検知部の検知結果が前記止水信号を１回送信するために必要な送信電力値を下回るまで前記止水信号を生成して前記便座装置に送信することを特徴とする請求項３に記載のリモコン装置。
【発明の詳細な説明】
【技術分野】
【０００１】
本発明の態様は、一般的に、リモコン装置に関する。
【背景技術】
【０００２】
電子機器を遠隔操作するリモコン装置がある。例えば、便器洗浄や衛生洗浄の吐水などを便座装置に指示するためのリモコン装置がある。こうしたリモコン装置において、操作ボタンの押動作に応じて発電を行う発電部を内部に設け、発電部で発電した電力を用いて、便座装置と通信を行うことが、例えば、特許文献１などで提案されている。
【０００３】
発電部を備えたリモコン装置では、便座装置との信号線の配線や電源の配線を行う必要がなく、設置を容易にすることができる。また、電池交換などを行う必要もなく、電池式のリモコン装置に比べて、メンテナンス性を向上させることもできる。例えば、設置台数が多く、利用頻度も高い公共施設の便座装置において、電池交換などのメンテナンスは、管理者にとって非常に手間である。このため、発電部を備えたリモコン装置は、公共施設の便座装置への適用が期待されている。
【０００４】
特許文献１では、操作ボタンの押動作に応じて発電が開始されるとともに、回路部が起動し、蓄電手段の蓄電量を監視する。そして、一定の蓄電量になると、操作ボタンの状態を読み取る制御部、及び、通信を行う送信部が駆動を開始する。
【先行技術文献】
【特許文献】
【０００５】
【特許文献１】特開２００６−９２８０号公報
【発明の概要】
【発明が解決しようとする課題】
【０００６】
しかしながら、特許文献１に記載されたリモコン装置のように、押動作で発電するリモコン装置では、発電できる量が少なく且つ蓄電量が限られている。そのため、限られた時間の中で蓄電量を無駄にせずに短時間の内に検知部の故障や発電量の不足などのリモコン装置の異常を判断しなければならないという問題がある。
【０００７】
本発明は、上記課題を解決するためになされたものであり、押動作で発電する発電リモコン装置において、電力を無駄にせずに短時間の内に検知部の故障や発電量の不足などのリモコン装置の異常を検出し、異常時にも安全に動作することができるリモコン装置を提供することを目的とする。
【課題を解決するための手段】
【０００８】
上記目的を実現するため、本発明のうち第１の態様に係るリモコン装置においては、人体局部に向けて吐水するノズルを有する便座装置を遠隔操作するためのリモコン装置であって、前記ノズルからの吐水を停止させるための止水ボタンと、少なくとも前記ノズルからの吐水を含む動作であって前記ノズルからの吐水の停止以外の動作を行わせるための非止水ボタンと、を有する複数の操作ボタンと、前記複数の操作ボタンのそれぞれに対応して設けられ、前記複数の操作ボタンのそれぞれの押動作を検知する複数の検知部と、前記複数の操作ボタンにおける押動作によって入力される機械的エネルギーを利用して電力を発生させる発電部と、前記発電部が発生させた電力を利用して、前記複数の検知部から情報を取得し、前記止水ボタンが押動作された場合は止水信号を生成して前記便座装置に送信する一方、前記非止水ボタンが押動作された場合は非止水信号を生成して前記便座装置に送信する制御部と、を備え、前記制御部は、前記発電部が発生させた電力を利用して、前記複数の検知部から情報を取得し、前記複数の検知部の何れの情報も取得できない場合に、前記止水信号を生成して前記便座装置に送信する異常時止水制御を実行することを特徴とする。
【０００９】
このような構成のリモコン装置によれば、制御部は、発電部が発生させた電力を利用して、複数の検知部から情報を取得し、複数の検知部の何れの情報も取得できない場合に、止水信号を生成して便座装置に送信する異常時止水制御を実行する。よって、押動作で発電する発電リモコン装置において、電力を無駄にせずに短時間の内にリモコン装置の異常を検出し、ノズルからの吐水が実行中であっても止水させることができ、異常時にも安全に動作することができる。
【００１０】
本発明のうち第２の態様に係るリモコン装置は、前記発電部が発生させた電力を蓄積する蓄電部と、前記蓄電部に蓄積された電力を検知する蓄電量検知部と、を備え、前記制御部は、前記異常時止水制御を実行する場合に、前記蓄電量検知部の検知結果が前記止水信号を１回送信するために必要な送信電力値を下回るまで前記止水信号を生成して前記便座装置に送信することを特徴とする。
【００１１】
このような構成のリモコン装置によれば、制御部は、異常時止水制御を実行する場合に、蓄電量検知部の検知結果が止水信号を１回送信するために必要な送信電力値を下回るまで止水信号を生成して便座装置に送信する。そのため、ノズルからの吐水が実行中であってもより確実に止水させることができる。
【００１２】
本発明のうち第３の態様に係るリモコン装置は、人体局部に向けて吐水するノズルを有する便座装置を遠隔操作するためのリモコン装置であって、前記ノズルからの吐水を停止させるための止水ボタンと、少なくとも前記ノズルからの吐水を含む動作であって前記ノズルからの吐水の停止以外の動作を行わせるための非止水ボタンと、を有する複数の操作ボタンと、前記複数の操作ボタンのそれぞれに対応して設けられ、前記複数の操作ボタンのそれぞれの押動作を検知する複数の検知部と、前記複数の操作ボタンにおける押動作によって入力される機械的エネルギーを利用して電力を発生させる発電部と、前記発電部が発生させた電力を蓄積する蓄電部と、前記蓄電部に蓄積された電力を検知する蓄電量検知部と、前記発電部が発生させた電力を利用して、前記複数の検知部から情報を取得し、前記止水ボタンが押動作された場合は止水信号を生成して前記便座装置に送信する一方、前記非止水ボタンが押動作された場合は非止水信号を生成して前記便座装置に送信する制御部と、を備え、前記制御部は、前記発電部が発生させた電力を利用して、前記複数の検知部から情報を取得し、前記複数の検知部の情報は取得でき、且つ、前記蓄電量検知部の検知結果が所定値よりも少ない場合に、前記蓄電部に蓄電された電力を用いて前記止水信号を生成して前記便座装置に送信する異常時止水制御を実行することを特徴とする。
【００１３】
このような構成のリモコン装置によれば、制御部は、発電部が発生させた電力を利用して、複数の検知部から情報を取得し、複数の検知部の情報は取得でき、且つ、蓄電量検知部の検知結果が所定値よりも少ない場合に、蓄電部に蓄電された電力を用いて止水信号を生成して便座装置に送信する異常時止水制御を実行する。よって、押動作で発電する発電リモコン装置において、電力を無駄にせずに短時間の内にリモコン装置の異常を検出し、ノズルからの吐水が実行中であっても止水させることができ、異常時にも安全に動作することができる。
【００１４】
本発明のうち第４の態様に係るリモコン装置は、前記制御部は、前記異常時止水制御を実行する場合に、前記蓄電量検知部の検知結果が前記止水信号を１回送信するために必要な送信電力値を下回るまで前記止水信号を生成して前記便座装置に送信することを特徴とする。
【００１５】
このような構成のリモコン装置によれば、制御部は、異常時止水制御を実行する場合に、蓄電量検知部の検知結果が止水信号を１回送信するために必要な送信電力値を下回るまで止水信号を生成して便座装置に送信する。そのため、ノズルからの吐水が実行中であってもより確実に止水させることができる。
【発明の効果】
【００１６】
本発明の態様によれば、押動作で発電する発電リモコン装置において、電力を無駄にせずに短時間の内に検知部の故障や発電量の不足などのリモコン装置の異常を検出し、異常時にも安全に動作することができる。
【図面の簡単な説明】
【００１７】
【図１】本発明の実施形態に係るリモコン装置と便座装置を示す斜視図である。
【図２】本発明の実施形態に係るリモコン装置を示す正面図である。
【図３】本発明の実施形態に係るリモコン装置を示すブロック図である。
【図４】本発明の実施形態に係るリモコン装置のボタンの動きを示す下面視における    模式図である。
【図５】本発明の実施形態に係るリモコン装置のバネ機構を示す正面視における模式    図である。
【図６】本発明の実施形態に係るリモコン装置の発電機構を示す側面視における模式    図である。
【図７】本発明の実施形態に係るリモコン装置のコンデンサ電圧の時間変化を示すグ    ラフである。
【図８】本発明の実施形態に係るリモコン装置の信号生成・送信フローを示すフロー    チャートである。
【図９】本発明の実施形態に係るリモコン装置のコンデンサ電圧の時間変化を示すグ    ラフである。
【発明を実施するための形態】
【００１８】
以下、添付図面を参照しながら本発明の実施の形態について説明する。理解を容易にするため、各図面において同一の構成要素に対しては可能な限り同一の符号を付し、重複する説明は省略する。
【００１９】
まず、図１を参照して本発明の実施形態に係るリモコン装置の使用状態を説明する。図１は、本発明の実施形態に係るリモコン装置と便座装置を示す斜視図である。
【００２０】
便座装置ＷＡは、大便器ＣＢのリムＣＢａに載置され、本体部ＷＡａと、便座ＷＡｂと、カバーＷＡｃを備えている。本体部ＷＡａは、電装部品や給水機構等を内蔵しており、大便器ＣＢのボウル部ＣＢｂに対し進退可能なノズルＮ２を有している。円柱形状のノズルＮ２は、その上面にノズル孔Ｎ２ａが形成されおり、ボウル部ＣＢｂ内に進出した状態で給水機構から水の供給を受けることで、ノズル孔Ｎ２ａから使用者の局部に向けて噴流ＪＷとして吐水する。使用者が用便時に着座する便座ＷＡｂは、本体部ＷＡａに対し回動自在に枢支されている。便座ＷＡｂの不使用時は、同じく本体部ＷＡａに対し回動自在に枢支されるカバーＷＡｃによって上方から覆われる。
【００２１】
リモコン装置ＲＣは、大便器ＣＢ及び便座装置ＷＡが設置されるトイレブースの壁面などに固定される。このリモコン装置ＲＣは、そのパネルＲＣＰを便座装置ＷＡ側に向けて設けられ、使用者はそのパネルＲＣＰにおいて便座装置ＷＡに行わせる動作を選択し、便座装置ＷＡを遠隔操作する。具体的には、リモコン装置ＲＣは、使用者がパネルＲＣＰで選択した内容に基づいた高周波信号を生成し、便座装置ＷＡに向けて無線で送信する。便座装置ＷＡは、本体部ＷＡａに内蔵する受信部においてこの高周波信号を受信し、その信号の内容に基づいて、ノズルＮ２からの吐水や止水、吐水の水勢の調整、ノズルＮ２の位置の変更等を行う。
【００２２】
次に、図２を参照して本発明の実施形態に係るリモコン装置のパネルについて説明する。図２は、本発明の実施形態に係るリモコン装置を示す正面図である。
【００２３】
図２に示すように、リモコン装置ＲＣのパネルＲＣＰは、上方に配列されるメインボタン群ＭＢと、メインボタン群ＭＢの下方に配列されるサブボタン群ＳＢを有している。
【００２４】
メインボタン群ＭＢは、停止ボタンＭＢ１と、停止ボタンＭＢ１以外のボタンである非停止ボタンＮＳＢからなる。また、非停止ボタンＮＳＢは、吐水ボタンＷＢと、乾燥ボタンＭＢ４からなる。さらに、吐水ボタンＷＢは、おしり洗浄ボタンＭＢ２と、ビデ洗浄ボタンＭＢ３からなる。これら４つのボタンは、いずれも正面視で円形を呈しており、リモコン装置ＲＣの幅方向に間隔を置いて略一直線上に配列されている。吐水ボタンＷＢは、ノズルＮ２からの吐水動作を行わせる際に押すボタンであり、おしり洗浄ボタンＭＢ２が押された場合には使用者の肛門に向けて吐水させ、ビデ洗浄ボタンＭＢ３が押された場合には女性の局部に向けて吐水させる。また、乾燥ボタンＭＢ４は、局部洗浄後に、本体部ＷＡａに内蔵されているファンから局部に向けて温風を吹き出す乾燥動作を行わせる際に押すボタンである。停止ボタンＭＢ１は、上記吐水動作及び乾燥動作を停止させる際に押すボタンである。
【００２５】
サブボタン群ＳＢは、強ボタンＳＢ１と、弱ボタンＳＢ２と、前ボタンＳＢ３と、後ボタンＳＢ４からなる。これら４つのボタンは、いずれも正面視でメインボタン群ＭＢの各ボタンより径の小さい円形を呈しており、リモコン装置ＲＣの幅方向に間隔を置いて略一直線上に配列されている。強ボタンＳＢ１と弱ボタンＳＢ２は、ノズルＮ２からの吐水の水勢を使用者が好みに応じて変更する際に押すボタンである。また、前ボタンＳＢ３と後ボタンＳＢ４は、ノズルＮ２の位置を、使用者が自己の局部の位置に応じて変更する際に押すボタンである。
【００２６】
図２において破線で示すように、メインボタン群ＭＢとサブボタン群ＳＢの背面側には、リモコン装置ＲＣの幅方向に延びる第１スライド部材１０、第２スライド部材２０がそれぞれ内蔵されている。また、第１スライド部材１０の下方であって、第２スライド部材の側方には、発電ユニットＧＵが内蔵されている。
【００２７】
後述するように、第１スライド部材１０は、メインボタン群ＭＢのいずれかのボタンが押されることによって、矢印Ａ１の方向にスライドするよう構成されている。この第１スライド部材１０は、第２スライド部材２０側に向けて突出する伝達突起１１を有している。また、第２スライド部材２０は、伝達突起１１よりも発電ユニットＧＵ側の部位に、第１スライド部材１０側に向けて突出する伝達突起２１を有している。したがって、例えば使用者の手指Ｈによって停止ボタンＭＢ１が力Ｆ１で押され、第１スライド部材１０が矢印Ａ１の方向にスライドすると、その伝達突起１１が第２スライド部材２０の伝達突起２１に当接し、力Ｆ２を伝達する。この力Ｆ２を受けた第２スライド部材２０は、矢印Ａ１と平行な方向である矢印Ａ２の方向にスライドする。
【００２８】
一方、サブボタン群ＳＢのいずれかのボタンが押された場合は、第２スライド部材２０が矢印Ａ２の方向にスライドするよう構成されている。この際、第２スライド部材２０の伝達突起２１は、第１スライド部材１０の伝達突起１１から離れる方向に移動するため、第１スライド部材１０がスライドすることなく、第２スライド部材２０が単独でスライドする。
【００２９】
このように、メインボタン群ＭＢと、サブボタン群ＳＢのいずれかのボタンが押されることによって、第２スライド部材２０が矢印Ａ２の方向にスライドする。すると、第２スライド部材２０の端部２２によって、発電ユニットＧＵの入力部ＧＵ２が力Ｆ３で押し込まれる。発電ユニットＧＵはこの入力部ＧＵ２から入力される機械的エネルギーにより、電力を発生させる。
【００３０】
次に、図３を参照して本発明の実施形態に係るリモコン装置の機械的構成及び電気的構成について説明する。図３は、本発明の実施形態に係るリモコン装置を示すブロック図である。
【００３１】
上記のとおり、使用者によってメインボタン群ＭＢのいずれかのボタンが押された場合に、その力は第１スライド部材１０を介して第２スライド部材２０に伝達されるのに対し、サブボタン群ＳＢのいずれかのボタンが押された場合は、第２スライド部材２０に直接伝達されるよう構成されている。第２スライド部材２０は、伝達されたその力によってスライドし、さらに発電ユニットＧＵに力を伝達する。
【００３２】
発電ユニットＧＵは、バネ機構ＧＳと発電機構ＧＧとを有する。バネ機構ＧＳは、第２スライド部材２０から入力される機械的エネルギーをバネの弾性エネルギーとして蓄積するとともに、その放出が可能な機構である。蓄積していた機械的エネルギーをバネ機構ＧＳが放出すると、その機械的エネルギーは発電ユニットＧＵの発電機構ＧＧに伝達され、ここで電気的エネルギーへと変換されて電力が発生する。
【００３３】
発電ユニットＧＵが発生させた電力は、コンデンサ３０へと供給される。コンデンサ３０は、供給された電力を充電する。
【００３４】
コンデンサ３０の出力端子には、制御ユニット４０が接続される。制御ユニット４０は、マイコン４２と、高周波生成回路４４と、送信機４６を備えている。マイコン４２は、コンデンサ３０からの電力供給を受けて起動し、高周波生成回路４４や送信機４６を制御する。ただし、コンデンサ３０に接続されている充電量検知回路３２が、コンデンサ３０に充電されている電力が基準の量以上となっていることを検知するまでは、マイコン４２は起動しないよう構成されている。具体的には、充電量検知回路３２はコンデンサ３０の電圧に基づいて、充電されている電力を検知する。
【００３５】
メインボタン群ＭＢとサブボタン群ＳＢの各ボタンには、それぞれに対応する検知スイッチＭＳ１〜ＭＳ４、ＳＳ１〜ＳＳ４が接続されている。これらの検知スイッチは、対応する各ボタンが使用者によって押されたことを検知するためのスイッチである。
【００３６】
メインボタン群ＭＢとサブボタン群ＳＢのいずれかのボタンが押された結果、コンデンサ３０に充電された電力が基準の量以上となった場合、コンデンサ３０からの電力供給を受けてマイコン４２が起動し、複数の検知スイッチから情報（いずれのボタンが押されたのか）を取得する。そしてマイコン４２は、取得したその情報に対応する高周波信号を高周波生成回路４４で生成させ、その後、送信機４６から便座装置ＷＡに向けて送信させる。
【００３７】
次に、図４を参照して各ボタンにおける押動作とボタンの検知について説明する。図４は、本発明の実施形態に係るリモコン装置のボタンの動きを示す下面視における模式図である。
【００３８】
図４では、リモコン装置ＲＣの正面側を上にし、背面側を下にして示している。停止ボタンＭＢ１が押された際の動きを左列に示す。また、中央列には、停止ボタンＭＢ１以外のメインボタン群ＭＢのボタンが押された際の動きを示しており、ここでは例としておしり洗浄ボタンＭＢ２を示している。また、右列にはサブボタン群ＳＢのボタンが押された際の動きを示しており、ここでは例として強ボタンＳＢ１を示している。各列とも、上段は使用者が各ボタンの押し込みを開始する状態を示し、下段は各ボタンが最も押し込まれた状態を示している。
【００３９】
図４の左列に示すように、停止ボタンＭＢ１は、その背面の中央部に、第１スライド部材１０側に向けて延びる中央突起ＭＢ１ａを有している。一方、第１スライド部材１０には、中央突起ＭＢ１ａに対向するよう延びる突起１３１を有しており、それぞれの対向する面には、傾斜面ＭＢ１ｂ、傾斜面１５１が形成されている。また、停止ボタンＭＢ１は、その背面の側部に、第１スライド部材１０側に向けて延びる側部突起ＭＢ１ｃを有している。この側部突起ＭＢ１ｃの背面側の端部にも、傾斜面ＭＢ１ｄが形成されている。さらに、この傾斜面ＭＢ１ｄから距離Ｌ１だけ背面側に離間した位置に、検知スイッチＭＳ１が配置されている。
【００４０】
使用者の手指Ｈによって停止ボタンＭＢ１に力Ｆ１が加えられると、停止ボタンＭＢ１は矢印Ａ３の方向に押し込まれる。そして、停止ボタンＭＢ１の傾斜面ＭＢ１ｂが第１スライド部材１０の傾斜面ＭＢ１ｄと当接するまで押し込まれると、その後第１スライド部材１０は、傾斜面ＭＢ１ｄで受ける力によって矢印Ａ４の方向にスライドを開始する。
【００４１】
この停止ボタンＭＢ１が矢印Ａ３の方向にＬ１だけ押し込まれると、その側部突起ＭＢ１ｃの傾斜面ＭＢ１ｄによって検知スイッチＭＳ１が押され、停止ボタンＭＢ１を押されたことが検知可能となる。
【００４２】
その後使用者は、停止ボタンＭＢ１がストッパＭＢＳに当接するまで押し込むことができる（左列下段）。つまり、検知スイッチＭＳ１は、停止ボタンＭＢ１が最も押し込まれた位置に到達する前に、停止ボタンＭＢ１が押されたことを検知可能に構成されている。  
【００４３】
図４の中央列に示す、停止ボタンＭＢ１以外のメインボタン群ＭＢのボタンについても、基本的な構成や動きは停止ボタンＭＢ１と同様であるが、側部突起ＭＢ２ｃの傾斜面ＭＢ２ｄと検知スイッチＭＳ２との距離が、Ｌ１よりも大きいＬ２に設定されている点で異なる。すなわち、停止ボタンＭＢ１は、停止ボタンＭＢ１以外のメインボタン群ＭＢのボタンよりも、小さな量の押し込みによって、押されたことを検知することが可能となっている。
【００４４】
図４の右列に示す、サブボタン群ＳＢのボタンについても、基本的な構成や動きは停止ボタンＭＢ１と同様であるが、側部突起ＳＢ１ｃの傾斜面ＳＢ１ｄと検知スイッチＳＳ１との距離が、Ｌ２よりもさらに大きいＬ３に設定されている点で異なる。また、各ボタンの最大の押し込み量を規定するストッパＳＢＳが、メインボタン群ＭＢのストッパＭＢＳよりも背面側に配置されている点でも異なる。したがって、サブボタン群ＳＢの各ボタンを押して発電ユニットＧＵに電力を発生させる場合は、メインボタン群ＭＢの各ボタンよりも、大きく押し込む必要がある。
【００４５】
次に、図５及び図６を参照して、発電ユニットＧＵにおける電力の発生について説明する。図５は、本発明の実施形態に係るリモコン装置のバネ機構を示す正面視における模式図であり、図６は、本発明の実施形態に係るリモコン装置の発電機構を示す側面視における模式図である。
【００４６】
図５（Ａ）は、メインボタン群ＭＢとサブボタン群ＳＢのいずれのボタンも押されていない状態を示し、図５（Ｂ）は、いずれかのボタンが押し込んでいる状態を示し、図５（Ｃ）は、使用者がボタンを最も押し込んだ状態を示す図である。発電ユニットＧＵに内蔵されるバネ機構ＧＳは、キーＧ２と、第１バネＧ４と、第２バネＧ７を備える。
【００４７】
キーＧ２は、リモコン装置ＲＣの幅方向に延びる棒状の部材であり、その下部には突起Ｇ２ｂを有している。また、キーＧ２の上面の一部にはラックＧ２ｃが形成されている。発電ユニットＧＵの内部に設けられる台座Ｇ６には、第２バネＧ７の一端が固定されている。
【００４８】
図５（Ａ）に示す状態では、この第２バネＧ７は、その他端によってキーＧ２の端面Ｇ２ａを力Ｆ７で付勢し、突起Ｇ２ｂを発電ユニットＧＵの内部に設けられるストッパＧ３に当接させてキーＧ２を静止させている。また、ストッパＧ３には第１バネＧ４の一端が固定されており、他端がキーＧ２の凹部Ｇ２ｄに固定されている。図５（Ａ）に示す状態では、第１バネＧ４の長さはほぼ自然長であり、キーＧ２にほとんど力を及ぼしていない。
【００４９】
図６に示すように、発電機構ＧＧは、歯車Ｇ９と、回転軸Ｇ１０と、永久磁石Ｇ１１と、コイルＧ１３と、出力端子Ｇ１５を備えている。
【００５０】
歯車Ｇ９はキーＧ２の上方に配置され（図５参照）、その外周に設けられた複数の歯Ｇ９ａが、キーＧ２のラックＧ２ｃの一部と噛み合っている。回転軸Ｇ１０は、歯車Ｇ９の回転中心になるとともに、歯車Ｇ９とともに回転するよう設けられる。また、回転軸Ｇ１０には永久磁石Ｇ１１が固定されている。永久磁石Ｇ１１の周囲には、円筒形状のコイルＧ１３が回転軸Ｇ１０とほぼ同軸となるよう設けられている。
【００５１】
以上のように構成された発電ユニットＧＵにおいて、メインボタン群ＭＢとサブボタン群ＳＢのいずれかのボタンが押し込まれた場合を考える。このボタンの押し込みによって第２スライド部材２０がスライドを開始すると、上記のように発電ユニットＧＵの入力部ＧＵ２が押し込まれる（図２参照）。この際、図５（Ｂ）に示すように、キーＧ２はその端部Ｇ２ｄにおいて力Ｆ９を受ける。入力部ＧＵ２が受けた力は、図示しないラッチ機構を介してキーＧ２の端部Ｇ２ｄに伝達される。これにより、キーＧ２は矢印Ａ１０の方向に移動し、力Ｆ１１を受けながら第２バネＧ７を圧縮させるとともに、力Ｆ１０を受けながら第１バネＧ４を伸張させる。これにより、第２スライド部材２０から入力された機械的エネルギーが、第１バネＧ４と第２バネＧ７の変形による弾性エネルギーとして蓄積されていく。
【００５２】
また、キーＧ２が矢印Ａ１０の方向に移動することで、歯Ｇ９ａがラックＧ２ｃと噛み合っている歯車Ｇ９も、矢印Ｒ１の方向に回転する。これにより、回転軸Ｇ１０に固定されている永久磁石Ｇ１１がコイルＧ１３内で矢印Ｒ１の方向に回転し、電磁誘導によって電力が発生する。発生した電力は、コイルＧ１３の出力端子より取り出され、コンデンサ３０に充電される。
【００５３】
使用者がさらにボタンを押し込み、ボタンがストッパに当接するまで押し込まれると（図４下段参照）、入力部ＧＵ２とキーＧ２の端部Ｇ２ｄとの間に介在するラッチ機構（図示せず）の解除が行われる。これにより、ボタンがストッパに当接したままの状態であっても、図５（Ｃ）に示すように、キーＧ２は復元しようとする第１バネＧ４と第２バネＧ７から、それぞれ力Ｆ１３、力Ｆ１４を受け、矢印Ａ１２の方向へと移動する。これにより、第１バネＧ４と第２バネＧ７の変形による弾性エネルギーとして蓄積されていた機械的エネルギーが放出される。
【００５４】
この際、キーＧ２が矢印Ａ１２の方向に移動することで、歯車Ｇ９は矢印Ｒ２の方向に回転する。これにより、永久磁石Ｇ１１がコイルＧ１３内で矢印Ｒ２の方向に回転して電力が発生し、その電力がコンデンサ３０に充電される。第１バネＧ４と第２バネＧ７は急速に復元するため、永久磁石Ｇ１１矢印Ｒ２の方向への回転速度は、上記の矢印Ｒ１の方向への回転速度よりも大きなものとなる。
【００５５】
次に、図７から図９を参照して、リモコン装置の各ボタンが押された際の信号生成と送信のフローについて説明する。図７および図９は、本発明の実施形態に係るリモコン装置のコンデンサ電圧の時間変化を示すグラフであり、図８は、本発明の実施形態に係るリモコン装置の信号生成・送信フローを示すフローチャートである。
【００５６】
先ず、図７および図８を参照して、リモコン装置の各ボタンが押された際の信号生成と送信のフローについて説明する。図７は、横軸に時間ｔを、縦軸に充電量検知回路３２が検知するコンデンサ３０の電圧Ｖをプロットしている。具体的には、先ずおしり洗浄ボタンＭＢ２が押され、おしり洗浄ボタンＭＢ２を検知でき、次に強ボタンＳＢ１が押され、強ボタンＳＢ１を検知できなかった場合の電圧Ｖの経時的な変化を示すものである。また、図８は、メインボタン群ＭＢと、サブボタン群ＳＢのいずれかのボタンが押された際の、信号の生成と送信に関する制御的な処理を示すものである。
【００５７】
まず、図７のｔ０において、用便後の使用者が手指でおしり洗浄ボタンＭＢ２の押し込みを開始すると、それにより入力された機械的エネルギーがバネ機構ＧＳに蓄積される。この際、同時に発電機構ＧＧで電力が発生するため、その電力の供給を受けて充電するコンデンサ３０の電圧ＶはＶ１まで上昇する（図７：ｔ０〜ｔ１）。
【００５８】
次に、使用者がおしり洗浄ボタンＭＢ２をストッパＭＢＳに当接するまで押し込むと、バネ機構ＧＳに蓄積されていた機械的エネルギーが放出される。これにより、発電機構ＧＧで電力が発生し、その電力を充電するコンデンサ３０の電圧ＶがＶ２まで上昇する（図７：ｔ１〜ｔ３）。
【００５９】
ここで、使用者がおしり洗浄ボタンＭＢ２を押し込む際（図７：ｔ０〜ｔ１）に発生する電力（コンデンサ３０の電圧でＶ１相当の電力）は、その押し込みの速度に依存し、比較的小さなものとなる。これに対し、使用者がおしり洗浄ボタンＭＢ２から手指を離した後（図７：ｔ１〜ｔ２）では、第１バネＧ４等の急速な復元によって永久磁石Ｇ１１が高速で回転するため、比較的大きな電力（コンデンサ３０の電圧でＶ２−Ｖ１相当の電力）が発生する。
【００６０】
洗浄ボタンＭＢ２が押し込まれることでコンデンサ３０の充電が開始すると、充電量検知回路３２は、コンデンサ３０の電圧Ｖが基準値Ｖｍ以上となったか否かを判断する（図８：Ｓ１０）。そして、コンデンサ３０の電圧Ｖが基準値Ｖｍ以上となったことが検知できると（図７：ｔ２、図８：Ｓ１０−Ｙｅｓ）、コンデンサ３０からマイコン４２への電力の供給が開始され、マイコン４２が起動する（図８：Ｓ１２）。ここで、基準値Ｖｍは、マイコン４２の立ち上がりを早くすることで電力の無駄を抑制すること、且つ、検知スイッチの検知をすばやく行うことができること、が求められるため、低く設定される。なお、基準値Ｖｍ（電圧値）は、マイコン４２が動作することができる最低電圧値以上である。
【００６１】
次に、起動したマイコン４２は、複数の検知スイッチから情報（いずれのボタンが押されたのか）を取得し（図８：Ｓ１４）、複数の検知スイッチの何れかの情報は取得できたのか（押されたボタンを検知できたのか）否かを判断する（図８：Ｓ１６）。そして、複数の検知スイッチの何れかの情報を取得できたと判断すると（図８：Ｓ１６−Ｙｅｓ）、所定回数（３回）の信号を送信可能か否か、を判断する（図８：Ｓ１８）。具体的には、コンデンサ３０の電圧Ｖが所定回数（３回）の信号を送信可能な電圧である電圧Ｖ３以上であるか否かを判断する。ここでは、コンデンサ３０の電圧Ｖが電圧Ｖ３以上の電圧Ｖ２であるため、所定回数（３回）の信号を送信可能であると判断し（図８：Ｓ１８―Ｙｅｓ）、次のステップへと移行する。なお、本実施形態では、ステップＳ１６において、検知できたボタンは、おしり洗浄ボタンＭＢ２である。
【００６２】
次に、マイコン４２は、おしり洗浄ボタンＭＢ２に対応する高周波信号（以下、「吐水信号」という）を高周波生成回路４４で生成させる（図７：ｔ３〜ｔ４、図８：Ｓ２０）。そして、送信機４６から便座装置ＷＡに向けて、１回目の吐水信号の送信を行う（図７：ｔ４〜ｔ５、図８：Ｓ２０）。
【００６３】
次に、充電量検知回路３２は、吐水信号の送信を行った後のコンデンサ３０に、まだ吐水信号を送信できる電力が残存しているか否かを判断する（図７：ｔ５〜ｔ６、図８：Ｓ２２）。具体的には、充電量検知回路３２は、吐水信号を１回送信するために必要な送信電力値Ｖ４を下回ったか否かを判断する。この段階では、まだコンデンサ３０に電力が残存しているため（図８：Ｓ２２−Ｎｏ）、マイコン４２は、２回目の吐水信号の送信を行う（図７：ｔ６〜ｔ７、図８：Ｓ２０）。こうしてリモコン装置ＲＣは、吐水信号を送信できる電力がコンデンサ３０に無くなるまで、すなわち、充電量検知回路３２の検知結果が、吐水信号を１回送信するために必要な送信電力値Ｖ４を下回るまで（図７：ｔ１１、図８：Ｓ２２−Ｙｅｓ）に、３回目（図７：ｔ８〜ｔ９、図８：Ｓ２０）、４回目（図７：ｔ１０〜ｔ１１、図８：Ｓ２０）の止水信号を送信した後、マイコン４２を停止させる（図８：Ｓ２４）。
【００６４】
便座装置ＷＡは、４回送信されたこの吐水信号の少なくとも１つを受信することで、ノズルＮ２を大便器ＣＢのボウル部ＣＢｂ内に進出させ、使用者の局部に向けて吐水を開始させる。
【００６５】
ここで、バネ機構ＧＳが機械的エネルギーを放出することによって発電機構が発生させる電力（コンデンサ３０の電圧でＶ２−Ｖ１相当の電力）は、制御ユニット４０が吐水信号を生成して３回送信するために必要な電力よりも大きくなるよう設定されている。換言すると、制御ユニット４０は、吐水信号の生成開始時（図７：ｔ３）にコンデンサ３０に蓄電されている電力の一部のみを用いて、吐水信号の生成と送信を行う。
【００６６】
次に、便座装置ＷＡのノズルＮ２から吐水が行われている状態において、使用者がその水勢を強くするために強ボタンＳＢ１を押す場合を考える。
【００６７】
図７のｔ１２において、使用者が手指で強ボタンＳＢ１の押し込みを開始すると、それにより入力された機械的エネルギーがバネ機構ＧＳに蓄積される。この際、同時に発電機構ＧＧで電力が発生するため、その電力の供給を受けて充電するコンデンサ３０の電圧ＶはＶ６まで上昇する（図７：ｔ１２〜ｔ１３）。すなわち、吐水信号の送信後にコンデンサ３０に残存していた電圧Ｖ５相当の電力に加えて、さらなる充電が行われる。
【００６８】
次に、使用者が強ボタンＳＢ１をストッパＳＢＳに当接するまで押し込むと、バネ機構ＧＳに蓄積された機械的エネルギーが放出される。これにより、発電機構ＧＧで電力が発生し、その電力を充電するコンデンサ３０の電圧ＶがＶ７まで上昇する（図７：ｔ１３〜ｔ１４）。
【００６９】
強ボタンＳＢ１が押し込まれることでコンデンサ３０の充電が開始すると、充電量検知回路３２は、コンデンサ３０の電圧Ｖが基準値Ｖｍ以上となったか否かを判断する（図８：Ｓ１０）。そして、コンデンサ３０の電圧Ｖが基準値Ｖｍ以上となったことが検知できると（図７：ｔ１４、図８：Ｓ１０−Ｙｅｓ）、コンデンサ３０からマイコン４２への電力の供給が開始され、マイコン４２が起動する（図８：Ｓ１２）。
【００７０】
次に、起動したマイコン４２は、複数の検知スイッチから情報（いずれのボタンが押されたのか）を取得し（図８：Ｓ１４）、複数の検知スイッチの何れかの情報は取得できたのか（押されたボタンを検知できたのか）否かを判断する（図８：Ｓ１６）。そして、複数の検知スイッチの何れかの情報を取得できないと判断すると（図８：Ｓ１６−Ｎｏ）、マイコン４２は、異常時止水制御を実行する（Ｓ３０）。具体的には、マイコン４２は、停止ボタンＭＢ１に対応する高周波信号（以下、「止水信号」という）を高周波生成回路４４で生成させる（図７：ｔ１４〜ｔ１５、図８：Ｓ３０）。そして、送信機４６から便座装置ＷＡに向けて、１回目の止水信号の送信を行う（図７：ｔ１５〜ｔ１６、図８：Ｓ３０）。
【００７１】
次に、充電量検知回路３２は、止水信号の送信を行った後のコンデンサ３０に、まだ止水信号を送信できる電力が残存しているか否かを判断する（図７：ｔ１６〜ｔ１７、図８：Ｓ３２）。具体的には、充電量検知回路３２は、止水信号を１回送信するために必要な送信電力値Ｖ４を下回ったか否かを判断する。ここで、吐水信号を１回送信するために必要な送信電力値と止水信号を１回送信するために必要な送信電力値は、等しいものとする。この段階では、まだコンデンサ３０に電力が残存しているため（図８：Ｓ３２−Ｎｏ）、マイコン４２は、２回目の止水信号の送信を行う（図７：ｔ１７〜ｔ１８、図８：Ｓ３０）。
【００７２】
こうしてリモコン装置ＲＣは、止水信号を送信できる電力がコンデンサ３０に無くなるまで、すなわち、充電量検知回路３２の検知結果が、止水信号を１回送信するために必要な送信電力値Ｖ４を下回るまで（図７：ｔ２２、図８：Ｓ３２−Ｙｅｓ）に、３回目（図７：ｔ１９〜ｔ２０、図８：Ｓ３０）、４回目（図７：ｔ２１〜ｔ２２、図８：Ｓ３０）の止水信号を送信した後、マイコン４２を停止させる（図８：Ｓ２４）。
【００７３】
このように制御ユニットＧＵは、押されたボタンを検知できた場合は、押されたボタンに対応する無線信号を所定回数以上（本実施形態では、４回）送信する。一方、押されたボタンを検知できなかった場合は、停止ボタンに対応する止水信号を送信できなくなるまで（本実施形態では、４回）送信することで、ノズルからの吐水が実行中であっても止水させることができ、異常時にも安全に動作することができる。
【００７４】
便座装置ＷＡは、４回送信されたこの止水信号の少なくとも１つを受信することで、本体部ＷＡａに内蔵される給水機構が給水の停止を行うとともに、ノズルＮ２を大便器ＣＢのボウル部ＣＢｂ内から後退させ、吐水動作を停止する。
【００７５】
なお、本実施形態では、強ボタンＳＢ１を検知できなかった場合の例を示したが、これに限らない。強いボタンＳＢ１でなく他の操作ボタンが押された場合であっても、その押されたボタンを検知できなければ、同様の制御が行われる。
【００７６】
また、複数の検知スイッチから情報（いずれのボタンが押されたのか）を取得し、複数の検知スイッチの何れかの情報を取得できない（押されたボタンを検知できない）場合は、検知スイッチの故障が原因で押されたボタンを検知できていない可能性が高い。よって、リモコン装置ＲＣまたは便座装置ＷＡにランプや音などの報知手段を設け、複数の検知スイッチの何れかの情報を取得できない場合に、使用者等に検知スイッチの故障を報知することが好ましい。
【００７７】
次に、図８および図９を参照して、リモコン装置の各ボタンが押された際の信号生成と送信のフローについて説明する。図９は、おしり洗浄ボタンＭＢ２が押され、おしり洗浄ボタンＭＢ２を検知できたが、所定回数の信号を送信可能でない場合の電圧Ｖの経時的な変化を示すものである。
【００７８】
まず、図９のｔ０において、用便後の使用者が手指でおしり洗浄ボタンＭＢ２の押し込みを開始すると、それにより入力された機械的エネルギーがバネ機構ＧＳに蓄積される。この際、同時に発電機構ＧＧで電力が発生するため、その電力の供給を受けて充電するコンデンサ３０の電圧ＶはＶ１まで上昇する（図９：ｔ０〜ｔ１）。
【００７９】
次に、使用者がおしり洗浄ボタンＭＢ２をストッパＭＢＳに当接するまで押し込むと、バネ機構ＧＳに蓄積されていた機械的エネルギーが放出される。これにより、発電機構ＧＧで電力が発生し、その電力を充電するコンデンサ３０の電圧ＶがＶ８まで上昇する（図９：ｔ１〜ｔ３）。
【００８０】
洗浄ボタンＭＢ２が押し込まれることでコンデンサ３０の充電が開始すると、充電量検知回路３２は、コンデンサ３０の電圧Ｖが基準値Ｖｍ以上となったか否かを判断する（図８：Ｓ１０）。そして、コンデンサ３０の電圧Ｖが基準値Ｖｍ以上となったことが検知できると（図９：ｔ２、図８：Ｓ１０−Ｙｅｓ）、コンデンサ３０からマイコン４２への電力の供給が開始され、マイコン４２が起動する（図８：Ｓ１２）。
【００８１】
次に、起動したマイコン４２は、複数の検知スイッチから情報（いずれのボタンが押されたのか）を取得し（図８：Ｓ１４）、押されたボタンを検知できたか否かを判断する（図８：Ｓ１６）。そして、洗浄ボタンＭＢを検知できると（図８：Ｓ１６−Ｙｅｓ）、所定回数（３回）の信号を送信可能か否かを判断する（図８：Ｓ１８）。具体的には、コンデンサ３０の電圧Ｖが所定回数（３回）の信号を送信可能な電圧である電圧Ｖ３以上であるか否かを判断する。ここでは、コンデンサ３０の電圧Ｖが電圧Ｖ３以下の電圧Ｖ８であるため、所定回数（３回）の信号を送信可能でないと判断し（図８：Ｓ１８―Ｎｏ）、異常時止水制御を実行する（Ｓ２６）。具体的には、マイコン４２は、停止ボタンＭＢ１に対応する高周波信号（以下、「止水信号」という）を高周波生成回路４４で生成させる（図９：ｔ３〜ｔ４、図８：Ｓ２６）。そして、送信機４６から便座装置ＷＡに向けて、１回目の止水信号の送信を行う（図９：ｔ４〜ｔ５、図８：Ｓ２６）。
【００８２】
次に、充電量検知回路３２は、止水信号の送信を行った後のコンデンサ３０に、まだ止水信号を送信できる電力が残存しているか否かを判断する（図９：ｔ５〜ｔ６、図８：Ｓ２８）。具体的には、充電量検知回路３２は、止水信号を１回送信するために必要な送信電力値Ｖ４を下回ったか否かを判断する。この段階では、まだコンデンサ３０に電力が残存しているため（図８：Ｓ２８−Ｎｏ）、マイコン４２は、２回目の止水信号の送信を行う（図９：ｔ６〜ｔ７、図８：Ｓ２８）。
【００８３】
こうしてリモコン装置ＲＣは、止水信号を送信できる電力がコンデンサ３０に無くなるまで、すなわち、充電量検知回路３２の検知結果が、止水信号を１回送信するために必要な送信電力値Ｖ４を下回るまで（図９：ｔ７、図８：Ｓ２８−Ｙｅｓ）止水信号を送信した後、マイコン４２を停止させる（図８：Ｓ２４）。
【００８４】
このように制御ユニットＧＵは、押されたボタンを検知でき、所定回数の信号を送信可能である場合は、押されたボタンに対応する無線信号を所定回数（本実施形態では、３回）送信する。一方、押されたボタンを検知できたが、所定回数の信号を送信可能でない場合は、停止ボタンに対応する止水信号を送信できなくなるまで（本実施形態では、２回）送信することでノズルからの吐水が実行中であっても止水させることができ、異常時にも安全に動作することができる。
【００８５】
便座装置ＷＡは、２回送信されたこの止水信号の少なくとも１つを受信することで、本体部ＷＡａに内蔵される給水機構が給水の停止を行うとともに、ノズルＮ２を大便器ＣＢのボウル部ＣＢｂ内から後退させ、吐水動作を停止する。
【００８６】
なお、本実施形態では、おしり洗浄ボタンＭＢ２が押され、おしり洗浄ボタンＭＢ２を検知できたが、所定回数の信号を送信可能でなければ場合の例を示したが、これに限らない。おしり洗浄ボタンＭＢ２でなく他の操作ボタンが押された場合であっても、その押されたボタンを検知できたが、所定回数の信号を送信可能でなければ、同様の制御が行われる。
【００８７】
また、押されたボタンを検知できたが、所定回数の信号を送信可能でない場合は、発電ユニットＧＵの故障が原因で十分な発電ができていない可能性が高い。よって、リモコン装置ＲＣまたは便座装置ＷＡにランプや音などの報知手段を設け、押されたボタンを検知できたが、所定回数の信号を送信可能でない場合に、使用者等に発電ユニットＧＵの故障を報知することが好ましい。
【００８８】
このように、本発明の実施形態に係るリモコン装置ＲＣでは、制御ユニット４０は、発電ユニットＧＵが発生させた電力を利用して、複数の検知スイッチ（ＭＳ１〜ＭＳ４、ＳＳ１〜ＳＳ４）から情報を取得し、複数の検知スイッチ（ＭＳ１〜ＭＳ４、ＳＳ１〜ＳＳ４）の何れの情報も取得できない場合に、止水信号を生成して便座装置ＷＡに送信する異常時止水制御を実行する。よって、押動作で発電する発電リモコン装置ＲＣにおいて、電力を無駄にせずに短時間の内にリモコン装置ＲＣの異常を検出し、ノズルからの吐水が実行中であっても止水させることができ、異常時にも安全に動作することができる。
【００８９】
また、制御ユニット４０は、発電ユニットＧＵが発生させた電力を利用して、複数の検知スイッチ（ＭＳ１〜ＭＳ４、ＳＳ１〜ＳＳ４）から情報を取得し、複数の検知スイッチ（ＭＳ１〜ＭＳ４、ＳＳ１〜ＳＳ４）の何れの情報は取得でき、且つ、蓄電量検知回路３２の検知結果が所定値よりも少ない場合に、コンデンサ３０に蓄電された電力を用いて止水信号を生成して便座装置ＷＡに送信する異常時止水制御を実行する。よって、押動作で発電する発電リモコン装置ＲＣにおいて、電力を無駄にせずに短時間の内にリモコン装置ＲＣの異常を検出し、ノズルからの吐水が実行中であっても止水させることができ、異常時にも安全に動作することができる。
【００９０】
また、制御ユニット４０は、異常時止水制御を実行する場合に、蓄電量検知回路３２の検知結果が止水信号を１回送信するために必要な送信電力値Ｖ７を下回るまで止水信号を生成して便座装置ＷＡに送信する。そのため、ノズルからの吐水が実行中であってもより確実に止水させることができる。
【００９１】
また、本実施形態に係るリモコン装置ＲＣのように、停止ボタンＭＢ１を押し操作した際に便座装置ＷＡへ送信される“止水信号”と、異常時止水制御の際に便座装置ＷＡへ送信される“止水信号”が同じ場合、停止ボタンＭＢ１に検知スイッチＭＳ１を設けていなくても、停止ボタンＭＢ１を押し操作した際に、便座装置ＷＡへ“止水信号”を送信することができる。そのため、コストを抑えることができる。
【００９２】
なお、停止ボタンＭＢ１を押し操作した際に便座装置ＷＡへ送信される“止水信号”と、異常時止水制御の際に便座装置ＷＡへ送信される“止水信号”が異なるものとしてもよい。この場合、異常時止水制御の際に便座装置ＷＡへ送信される“止水信号”を“発電部異常時止水信号”または“検知部異常時止水信号”とする。このように、異常時止水制御の際に、“発電部異常時止水信号”または“検知部異常時止水信号”が便座装置ＷＡへ送信されることで、便座装置ＷＡが故障原因に対応する動作を実行することができる。
【００９３】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９４】
ＷＡ：便座装置
ＲＣ：リモコン装置
ＲＣＰ：パネル
１０：スライド部材
２０：スライド部材
３０：コンデンサ（蓄電部）
３２：充電量検知回路（蓄電量検知部）
４０：制御ユニット（制御部）
４２：マイコン
４４：高周波生成回路
４６：送信機
ＧＧ：発電機構
ＧＳ：バネ機構
ＧＵ：発電ユニット（発電部）
ＭＢ：メインボタン群（操作ボタン）
ＭＢ１：停止ボタン（止水ボタン）
ＭＢ２：洗浄ボタン（非止水ボタン）
ＭＢ３：ビデ洗浄ボタン（非止水ボタン）
ＭＢ４：乾燥ボタン（非止水ボタン）
ＷＢ：吐水ボタン（非止水ボタン）
ＭＳ１〜ＭＳ４：検知スイッチ（検知部）
Ｎ２：ノズル
ＳＢ：サブボタン群（操作ボタン）
ＳＢ１：強ボタン（非止水ボタン）
ＳＢ２：弱ボタン（非止水ボタン）
ＳＢ３：前ボタン（非止水ボタン）
ＳＢ４：後ボタン（非止水ボタン）
【図２】
2015183476.tif 000003
【図３】
2015183476.tif 000004
【図４】
2015183476.tif 000005
【図５】
2015183476.tif 000006
【図６】
2015183476.tif 000007
【図７】
2015183476.tif 000008
【図８】
2015183476.tif 000009
【図９】
2015183476.tif 000010
【図１】
2015183476.tif 000011